(57)【特許請求の範囲】
【請求項１】
穂先部分を構成するティップ部が中空構造のベリー部に接合されてなる釣竿において、
前記ティップ部は、中実状心材で構成されており、
前記ティップ部は、少なくとも、
最先端部分である第１先端部と、前記第１先端部に連続し前記第１先端部よりもテーパーがきつい第２先端部と、前記第２先端部に連続し前記第２先端部よりもテーパーがきつい第３先端部と、を有し、
前記第１先端部の長さ及び前記第２先端部の長さは同等であり、
前記第３先端部の長さは、前記第１先端部及び前記第２先端部の長さよりも短いことを特徴とする釣竿。
【請求項２】
前記第３先端部は、
前記ベリー部に挿入するための、円錐状に成型された挿入部と、軸を有することを特徴とする、請求項１に記載の釣竿。
【請求項３】
前記第１先端部と前記第２先端部との間のテーパー変化点、及び前記第２先端部と前記第３先端部との間のテーパー変化点のそれぞれに釣り糸を通すための釣り糸ガイドを設置することを特徴とする、請求項１又は２に記載の釣竿。
【請求項４】
釣竿における中空構造のベリー部に接合され、前記釣竿における穂先部分を構成するティップ部において、
最先端部分である第１先端部と、
前記第１先端部に連続し前記第１先端部よりもテーパーがきつい第２先端部と、
前記第２先端部に連続し前記第２先端部よりもテーパーがきつい第３先端部と、を有し、
前記第１先端部の長さ及び前記第２先端部の長さは同等であり、
前記第３先端部の長さは、前記第１先端部及び前記第２先端部の長さよりも短いことを特徴とするティップ部。
【発明の詳細な説明】
【技術分野】
【０００１】
本発明は、中空構造のベリー部に接合するための、中実状心材(ソリッド構造)のティップ部と、釣糸を通すためのガイドで構成された釣竿における穂先部分の構成に関わるものである。
【背景技術】
【０００２】
一般的な釣竿の構造において、炭素繊維(カーボンシート等)を扇形の形状に切り出し、テーパー状のマンドレルに巻きつけて成型する中空構造のものがあり、これをチューブラと呼ぶ。また炭素繊維を一体成型したソリッド構造のものがあり、特に強度が求められる穂先部分等に使用されている。
【０００３】
上述したような釣竿の成型方法においては、穂先部分のテーパーはマンドレルの形状によって決定してしまうため、単一のテーパー状に成型されてしまうことは避けられない。また、ソリッド構造の穂先部分は、穂先部分の後端から先端にかけて、単一のテーパーで成型されることが一般的である。
【０００４】
また、釣竿を、釣竿の部位において、異なるテーパーで構成しようとすると、例えば、振り出し式の竿のようにテーパーの異なる複数の円筒と穂先部分で構成するか、竹竿を継ぐ手法として考案された印籠継ぎという接続方法を用いて接続し、1本の釣り竿として構成することがある。しかしながら、ルアー釣り等でよく用いられる接続部を持たない、1ピース構造の釣竿においては、その構造上、異なるテーパーで構成することは難しく、穂先部分にのみ、ソリッド構造のティップ部を接合する方法が用いられている。
【０００５】
図７は、現代の炭素繊維を用いた釣竿に広く使用されているソリッド構造のティップ部を印籠継ぎで接合する場合の形状を示したもので、図において、１０１は、ティップ部、１０２は、ティップ部に設けられた軸、１０３は、中空構造のベリー部を示す。この構造は、素材や製法の異なるティップ部とベリー部を接続する際に用いたり、1ピース構造の釣竿において、ティップ部とベリー部の素材や製法が異なるものを接着剤等で接合する場合に用いられているが、一般的にティップ部１０１とベリー部１０３の接合部分は、応力が集中するため、破損したり、接合部周辺で折れることが多い。
【０００６】
図８は、従来の中実状心材を用いたティップ部１０１と、ベリー部１０３を接合した場合の構造を示した図である。図において、１０１は、ティップ部、１０２は、ティップ部に設けられた軸、１０３は、中空構造のベリー部、１０４は、接合部、１０５は、接合部１０４を保護するためのコーティング部を示す。一般的に、ティップ部１０１は単一テーパーで成型され、釣竿の穂先部分周辺のアクション（曲がり）は、ティップ部１０１と、ベリー部１０３の接合部でのみ、変化させることができる。ここで釣竿の穂先部分周辺において、アクションの変化する部分を増やしたい場合は、上記接合部を複数設ければよいが、特に1ピース構造の釣竿における穂先部分周辺は、径が細く、上記接合部を複数設けることは、釣竿の穂先部分周辺における強度確保が非常に困難であった。
【０００７】
また、特許文献１参照の特開２００７−３１９０１４号は、従来の釣竿の接合方法の一例を示し、穂先竿秤である中実状心材(ソリッド構造のティップ部)は、中空管(中空構造のベリー部)の先端内面に挿入すべく、元側に向かって、逆テーパー状に形成されている。これは、従来の振り出し式の竿の接合部や、従来の単一テーパーの穂先竿秤である中実状心材と、中空管の接合方法と変わらない。そのため、1ピース構造の釣竿における穂先部分において、本接合方法を用いた接合部分を複数設けることは、強度的に不安があり、結果的に、穂先部分において、テーパーが可変する箇所を複数設けることができないという問題があった。
【先行技術文献】
【特許文献】
【０００８】
【特許文献１】特開２００７−３１９０１４号公報
【発明の概要】
【発明が解決しようとする課題】
【０００９】
解決しようとする問題点は、釣竿における、従来の単一テーパーで成型されたティップ部では、ティップ部のアクション（曲がり）も単一なものとなる。また、ティップ部のアクションを複雑なものとするため、テーパーの異なる複数のティップ部を、複数の接合部を設けて接合すると、ティップ部は、釣竿の構成上、径が細いため、接合部の強度を確保することが非常に難しいということである。
【課題を解決するための手段】
【００１０】
本発明は、上記課題を解決するためになされたものであり、本発明における穂先部分は、複数の異なるテーパーから構成されるティップ部を、中空構造のベリー部に挿入し、接合することで、釣竿のティップ部における複合的なアクションと、釣竿としての感度および、強度の向上を得ることを目的としている。
本発明の請求項１に関わる穂先部分の構成方法は、釣竿における複数の異なるテーパーを有するティップ部と、中空構造のベリー部に挿入するための、円錐状に成型された挿入部と、軸を有するものであり、ティップ部のアクションを複合的に設計することができる多段テーパーを実現するものである。
本発明の請求項２に関わる穂先部分の構成方法は、釣竿における複数の異なるテーパーを有するティップ部と、中空構造のベリー部に挿入するための、円錐状に成型された挿入部と、軸と、上記テーパーの変化点に設置したガイド有するものであり、ティップ部のアクションを複合的に設計することができる多段テーパーを実現するものである。
【発明の効果】
【００１１】
本発明は、以上説明したように構成されているので、以下に示すような効果を奏する。
請求項１の発明においては、複数の異なるテーパーを有するティップ部を、中空構造のベリー部に挿入し、接合することで、釣竿のティップ部において、複合的なアクション得ることができる。また、上記ティップ部を、炭素繊維等を一体成型したソリッド構造とした場合、中空構造で構成された従来のティップ部や、複数の異なるテーパーを実現するために、複数の接合部を有するティップ部と比較して、設計自由度が高く、テーパー変化点の強度を向上させることができ、さらに、テーパー変化点に接合部を持たない構造とすることが可能となるため、軽量で、かつ、感度の高いティップ部を有する釣竿を得ることができる。
請求項２の発明においては、複数の異なるテーパーを有するティップ部のテーパー変化点に、ガイドを設置し、テーパー変化点における剛性を向上させることで、釣竿の穂先部分における振幅動作を、より早くしたり、振幅動作を停止した場合に、収束を早くすることができるため、釣り人による、穂先部分のより細やかなアクションが可能となると同時に、極めて感度の高い釣竿を得ることができる。
【図面の簡単な説明】
【００１２】
【図１】図１は穂先部分の構成を示した図である。（実施例１）
【図２】図２は穂先部分の構成と形状を示した図である。（実施例１）
【図３】図３は釣竿の構成を示した図である。（実施例１）
【図４】図４は釣竿の構成を示した図である。（実施例２）
【図５】図５はガイド設置方法を示した拡大図である。（実施例２）
【図６】図６は釣竿の構成を示した図である。（実施例２）
【図７】図７は従来の接合方法の構成を示した図である。
【図８】図８は従来の接合方法の構成を示した図である。
【発明を実施するための形態】
【００１３】
複数の異なるテーパーを有するティップ部と、テーパーが変化する箇所にガイドを設置することで、ティップ部のアクションを複合的に設計することができる多段テーパーを実現した。
【実施例】
【００１４】
（実施の形態１）
釣竿において、複数の異なるテーパーを有するティップ部を、中空構造のベリー部と接合することで、多段テーパーを実現し、さらにテーパー変化点における外径や、テーパー変化点間の長さといった、釣竿における穂先部分の設計自由度を飛躍的に広げることができ、さらに、釣竿としての感度や耐久性を向上させることができる。
【００１５】
図１は、本発明の実施の形態１を示した図である。図において、１は、中実状心材(ソリッド構造)のティップ部、２は、最先端部、３は、２と異なるテーパーで成型された第２先端部、４は、３と異なるテーパーで成型された第３先端部、５は円錐状に成型された挿入部、６は挿入部５の中心を通る軸、ａは、最先端部２における先端、ｂは、最先端部２と、第２先端部３のテーパー変化点、ｃは、第２先端部３と、第３先端部４のテーパー変化点、ｄは、第３先端部４の後端、かつ、挿入部５の前端、ｅは、挿入部５の後端、かつ、軸６の前端、ｆは、軸６の後端を示す。まず、図８に示した従来例のように、中実状心材のティップを単一テーパーで成型した場合、ティップ部１０１の先端から接合部１０４までの曲がりは、加重の負荷に応じて、自然なカーブを描くように曲がる。これは、単一テーパー成型させているがゆえの特徴で、例えばルアーフィッシングにおける釣竿の動作において、釣竿の先端を振るようにルアーを動作させる場合、接合部１０４から先端に向かって、ティップ部１０１全体が振幅動作をする。つまり、釣竿の先端を細かく振ると、上記振幅動作は小さく、釣竿の先端を大きく振ると上記振幅動作は大きくなる。しかしながら、上述したように接合部１０４から先端に向かって、ティップ部１０１全体が振幅動作をするため、より振幅動作を小さくしようと、細かく、高速に振ったとしても、ティップ部１０１の先端だけを振幅動作をさせることができなかった。
【００１６】
次に図1におけるティップ部１が実現する特性について説明すると、例えば、ティップ部１における先端ａの外径を０．８ｍｍ、テーパー変化点ｂの外径を１．５ｍｍ、テーパー変化点ｃの外径を２．２５ｍｍ、テーパー変化点ｄの外径を２．５５ｍｍ、挿入部５の後端ｅを２．３５ｍｍ、軸６の後端を２．３５ｍｍとする。ここで先端ａと、テーパー変化点ｂの外径と、先端ａと、テーパー変化点ｂまでの長さで最先端部２のテーパーが決定される。次に、テーパー変化点ｂの外径と、テーパー変化点ｃの外径と、テーパー変化点ｂと、テーパー変化点ｃまでの長さで第２先端部３のテーパーが決定される。さらに、テーパー変化点ｃの外径と、テーパー変化点ｄの外径と、テーパー変化点ｃと、テーパー変化点ｄまでの長さで第３先端部４のテーパーが決定される。また、挿入部５と、軸６は、円錐状に掘削された中空構造のベリー部内径に合致するように成型されている。以上のようにティップ部１は構成されているため、例えば、先端ａの外径と、テーパー変化点ｂの外径を十分小さくし、かつ、最先端部２の長さをある程度設ける。次にテーパー変化点ｂの外径に対して、テーパー変化点ｃの外径を十分に大きくし、さらにテーパー変化点ｃの外径に対して、テーパー変化点ｄの外径をさらに大きくした場合、釣竿の先端だけが振れるように振幅動作を極力小さくすると、最先端部２だけが振幅動作を行う。つまり、釣竿の先端ができるだけ小さく振れるように振幅動作を行うと、先端ａからテーパー変化点ｂに向かって、先端ａに近いところから振れ始め、徐々に振幅動作を大きくしていくと、振幅の起点は、テーパー変化点ｂに向かって徐々に移動していく。ここで、テーパー変化点ｂで、最先端部２と、第２先端部３のテーパーが変化するため、一旦は、上記最先端部２の振幅動作が、テーパー変化点ｂまでで、固定されるような動きとなる。結果的に、釣竿の特性として、超先調子を実現することが可能となる。
【００１７】
従来は、図８におけるティップ部１０１による振幅動作を極力小さくしようとしても、先端から接合部１０４までのティップ部１０１全体が振れてしまい、ティップ部１０１上における振れ始めの起点箇所が曖昧になるため、振幅が一定とならず、釣り人が釣竿の先端部だけを極小さく振幅動作させることは、非常に困難で、釣竿における超先調子を実現できないといった問題点があった。しかしながら、図１に示したようにティップ部１を構成すると、上述した振幅動作を極力小さくしようとした場合、振れ始めの起点をテーパー変化点ｂまでに制限することが可能となる。つまり、振幅動作の振幅を先端ａからテーパー変化点ｂまでの間に収めることが可能で、結果的に、釣竿における最先端部２だけを振幅させることができる。ここで、最先端部２の長さは任意に設定可能で、上記長さが短くなればなるほどに、振幅動作の収束も早くなる。また、テーパー変化点ｂと、テーパー変化点ｃでは、ティップ部１におけるテーパーが変化するため、最先端部２の振幅動作は、第２先端部３に伝わりにくく、振幅動作を停止した場合に、最先端部２の振幅動作の収束が早くなることに寄与している。以上のように、上述した振幅が小さく、収束時間が早いと、釣竿における感度を飛躍的に向上させることができる。
【００１８】
さらに、釣り人による振幅動作が、最先端部２における先端ａからテーパー変化点ｂの範囲を超える振幅となった場合、つまり、ティップ部１をさらに大きく振りたい場合は、テーパー変化点ｃに向かって、徐々にその振幅範囲(長さ)は拡大されていくが、次にまた、振れ始めの起点をテーパー変化点ｃまでに制限することが可能となる。つまり、振幅動作の振幅を先端ａからテーパー変化点ｃまでの間に収めることが可能で、結果的に、釣竿における最先端部２と、第２先端部３までだけを振幅させることができる。ここで、最先端部２と、第２先端部３の長さは任意に設定可能で、上記長さが短くなればなるほどに、振幅動作の収束も早くなる。また、テーパー変化点ｃと、テーパー変化点ｄでは、ティップ部１におけるテーパーが変化するため、最先端部２および第２先端部３の振幅動作は、第３先端部４に伝わりにくく、振幅動作を停止した場合に、最先端部２および第２先端部３の振幅動作の収束が早くなることに寄与する構成となっている。以上のように、釣り人による振幅動作の大小に応じて、ティップ部１における先端ａから振幅を最適な振幅の範囲に収めることができ、釣り人が振幅動作を停止した場合、先端ａが完全に停止するまでの収束時間も早いことから、釣竿における感度を飛躍的に向上させることができる。
【００１９】
同様に、釣り人による振幅動作が、最先端部２における先端ａから第２先端部３におけるテーパー変化点ｃの範囲を超える振幅となった場合、つまり、ティップ部１をさらに大きく振りたい場合は、テーパー変化点ｄに向かって、徐々にその振幅範囲(長さ)は拡大されていくが、次にまた振れ始めの起点をテーパー変化点ｄまでに制限することが可能となる。
つまり、振幅動作の振幅を先端ａからテーパー変化点ｄまでの間に収めることが可能で、結果的に、釣竿における最先端部２から第２先端部３までだけを振幅させ、さらに、最先端部２から第３先端部４までを振幅させることができる。以上のように、振幅動作の大小や、負荷の大小に応じて、最先端部２から、第２先端部３、そして、第３先端部４と段階的に振幅させることが可能となり、ティップ部１の特性を自在に可変することができる多段テーパーを実現することができる。ここで、最先端部２と、第２先端部３と、第３先端部４の長さは、任意に設定可能で、上記長さが短くなればなるほどに、それぞれの振幅動作の収束も早くなる。以上のことから、釣り人の動作に応じた最適な振幅範囲の設定や、釣竿のアクション、感度等を自在に設計することが、極めて容易にできる。
【００２０】
次に、図２は、本発明の実施の形態１におけるティップ部１と、中空構造のベリー部７を、接合するための形状を示した図である。図において、１から６および、ａからｆは図１と同じで、７は、釣竿における中空構造のベリー部を示す。また、図２に示すように、ティップ部１における挿入部５と、軸６は、円錐状に掘削された中空構造のベリー部７の内径に合致するように成型されている。ここで、ティップ部１におけるテーパー変化点ｄは、挿入部５の前端であり、挿入部５と、軸６は、ベリー部と接着剤等で接合することを目的としている。以上のことから、テーパー変化点ｄは、ティップ部１とベリー部７の接合部となり、ここでもテーパーが変化するため、ティップ部１の振幅動作は、ベリー部７に伝わりにくく、釣り人が振幅動作を停止した場合に、ティップ部１全体の振幅動作の収束が早くなることに寄与する構成となっている。
【００２１】
また、最先端部２、第２先端部３、第３先端部４の長さは、任意に設定することが可能であるため、最先端部２、第２先端部３、第３先端部４における振幅の幅を自在に設計することができる。さらに、先端ａや、テーパー変化点ｂ〜ｄの外径を、求める釣竿の特性に応じて、任意に設定することで、例えば、極端に先端部分だけが柔らかい釣竿や、ルアーフィッシングにおけるルアーの重さによって、釣竿の曲がる支点を可変するといったような、多段テーパーが実現できる。
【００２２】
図３は、本発明の実施の形態１におけるティップ部１と、中空構造のベリー部７を接合した時の構成を示した図である。図において、１から７および、ａからｆは図２と同じで、８は、挿入部５と、軸６を、円錐状に掘削された中空構造のベリー部７の内径挿入し、接着剤等で、接合した接合部を示す。ここで、図３に示すように、ティップ部１は、最先端部２と、第２先端部３と、第３先端部４の３種類の異なるテーパーを有するそれぞれの先端部と、挿入部５、軸６で構成されている。ここで、ティップ部１における異なるテーパーの構成要素は、最先端部２と、第２先端部３と、第３先端部４の３種類に限定するものではなく、例えば、4種類、５種類といったように複数のテーパーを組み合わせて構成すると、より細やかで、多様な釣竿のアクションを実現することができる。また、本発明の実施の形態１におけるティップ部１は、同一炭素素材を用いて成型するため、ティップ部１におけるテーパー変化点に、従来例図８で示したような接合部１０４が存在せず、上記接合部１０４に接着剤等を使用したり、コーティング部１０５で、円筒形の素材や、樹脂、塗装でコーティングを施す必要がないため、軽量化を実現することができる。また、本発明の実施の形態１で示す釣り竿における穂先部分の構成方法は、炭素繊維等を一体成型したソリッド構造としていることから、例えば、ルアーフィッシングにおけるキャスティングやフッキングの際といったように、釣竿に大きな力が加わった場合にも、高い強度と耐久性を実現することができる。
【００２３】
（実施の形態２）
図４は、本発明の実施の形態２を示した図である。図において、１から８および、ａからｆは図３と同じで、９は、トップガイド、１０は、トップガイドを設置するための手段、１１は、ガイド、１２は、ガイドを設置するためのスレッド、１３は、スレッドの１２の表面にコーティングする樹脂、１４は、ガイド、１５は、ガイドを設置するためのスレッド、１６は、スレッドの１５の表面にコーティングする樹脂を示す。図４において、トップガイド９は、ティップ部１の先端である先端ａに、トップガイドを設置するための手段１０によって設置される。ここで、トップガイドを設置するための手段１０は、例えば、先端ａの外径が、挿入できる円筒形状の冶具であり、接着剤で固定したり、上記円筒形状の冶具の上から、スレッドを巻いて、さらに樹脂でコーティングしたりといった方法で設置する。次に、図５を用いて、テーパー変化点ｂにおけるガイド１１の設置方法を説明する。図５は、上記設置方法を詳細に説明するための拡大図であり、図５において、２と、３と、１１〜１３と、ｂは、図４と同じである。次に、釣竿におけるガイド１１の設置方法について詳しく説明すると、ガイド１１は、釣り糸を通すためのガイドリングと、上記ガイドリングを固定し、さらに釣竿に設置するためのガイドフレームから構成されている。釣竿にガイド１１を設置する場合は、ガイド１１を構成するパーツである、ガイドフレームを、釣竿に沿うように、設置し、その上から、スレッド１２を巻いて、しっかり固定する。さらに、スレッド１２の上から、例えばエポキシ樹脂といった、硬化型の樹脂でコーティングを施すことで、さらに強固にガイド１１を設置することができる。以上のような方法で、テーパー変化点ｂにガイド１１を設置すると、テーパー変化点ｂの剛性が増すことから、最先端部２における振幅動作が、第２先端部３に伝わりにくくなるため、最先端部２だけを振幅動作させたり、極端に早い振幅動作をさせることができる。また、釣り人が釣竿における穂先部分をゆする動作を急に停止した場合には、最先端部２の振幅動作の収束が早くなるという利点がある。結果的に、釣竿における穂先部分の非常に細やかに動かすことが可能となり、テーパー変化点ｂの剛性が高く、振幅動作の収束も早いことから、本発明の実施の形態２を用いた釣竿の感度を飛躍的に向上させることができる。
【００２４】
さらに、図４におけるティップ部１が実現する特性について説明する。釣り人による振幅動作が、最先端部２における先端ａからガイド１１を、スレッド１２と、樹脂１３で設置したテーパー変化点ｂの範囲を超える振幅となった場合、つまり、ティップ部１をさらに広い範囲で振りたい場合は、ガイド１４を、スレッド１５と、樹脂１６で設置したテーパー変化点テーパー変化点ｃに向かって、徐々にその振幅範囲(長さ)は拡大される。ここで、テーパー変化点ｃに、ガイド１４をスレッド１５と、樹脂１６で設置することにより、テーパー変化点ｃの剛性が増すため、最先端部２と、第２先端部３における振幅動作が、第３先端部４に、より顕著に伝わりにくくなり、最先端部２と、第３先端部３だけを振幅動作させたり、極端に早い振幅動作をさせることができる。また、釣り人が釣竿における穂先部分をゆする動作を急に停止した場合には、最先端部２と、第２先端部３の振幅動作の収束が、より早くなるという利点がある。結果的に、釣竿における穂先部分の非常に細やかで、かつ高速に動かすことが可能となり、テーパー変化点ｃの剛性が高く、振幅動作の収束も早いことから、本発明の実施の形態２を用いた釣竿の感度を飛躍的に向上させることができる。ここで、最先端部２と、第２先端部３の長さは任意に設定可能で、上記長さが短くなればなるほどに、振幅動作の収束も早くなる。以上のように、釣り人による振幅動作の大小に応じて、ティップ部１における先端ａから振幅を最適な振幅の範囲に収めることができ、釣り人が振幅動作を停止した場合、先端ａが完全に停止するまでの収束時間も早いことから、釣竿における感度を飛躍的に向上させることができる。
【００２５】
同様に、釣り人による振幅動作が、最先端部２における先端ａから、ガイド１４を、スレッド１５と、樹脂１６で設置した第３先端部４におけるテーパー変化点ｃの範囲を超える振幅となった場合、つまり、ティップ部１をさらに広い範囲で振りたい場合は、ティップ部１と、第３先端部４の後端、かつ、挿入部５の前端であるテーパー変化点ｄに向かって、徐々にその振幅範囲(長さ)は拡大される。ここで、テーパー変化点ｄは、ティップ部１とベリー部７の接合部８でもあるため、剛性が高く、最先端部２と、第２先端部３における振幅動作や、第３先端部４における振幅動作が、より顕著に伝わりにくくなり、最先端部２と、第２先端部３と、第３先端部４を振幅動作させたり、極端に早い振幅動作をさせることができる。以上のように、釣り人による振幅動作の大小に応じて、ティップ部１における先端ａから振幅を最適な振幅の範囲に収めることができ、釣り人が振幅動作を停止した場合、先端ａが完全に停止するまでの収束時間も早いことから、釣竿における感度を飛躍的に向上させることができる。ここで、ガイドを釣り竿における先端ａとそれぞれのテーパー変化点に設置した場合の特徴について説明しているが、テーパー変化点からその他のテーパー変化点の間に、別のガイドを設置することを制限するものではない。
【００２６】
また、上述したように、それぞれテーパーの異なる最先端部２と、第２先端部３と、第３先端部４のそれぞれのテーパー変化点ｂとｃに、ガイド１１と１４を設置すると、図６に示すように明らかに、それぞれ曲がる角度の異なる多段テーパーを実現することができる。図６における各部の特徴を説明すると、例えば、最先端部２における先端ａと、テーパー変化点ｂの外径を十分小さくし、ごく細い最先端部２を構成する。次に、テーパー変化点ｃの外径を、テーパー変化点ｂに対して、十分大きくし、最先端部２と異なるテーパーを有する第２先端部３を構成すると、最先端部２は非常に繊細に、かつ、低負荷でよく曲がる超先調子を実現する一方、第２先端部３は、最先端部２と比較して、ある程度高い剛性を有するため、テーパー変化点ｂを境に、曲がる角度が異なるといった特殊なアクションを得ることができる。同様に、テーパー変化点ｄの外径を、テーパー変化点ｃに対して、十分大きくすると、第３先端部４は、第２先端部３と比較して、さらに高い剛性を有するため、テーパー変化点ｃを境に、最先端部２や、第２先端部３と比較して曲がりにくくなるといった、特殊なアクションを得ることができる。さらにまた、ベリー部７も釣竿にかかる負荷に応じて曲がるため、最先端部２と、第２先端部３と、第３先端部４と、ベリー部７が、それぞれ異なる曲がりの角度を得ることができるようになる多段テーパーを実現することができる。ここで、先端ａや、テーパー変化点ｂ〜ｄや、ベリー部７の外径および、最先端部２と、第２先端部３と、第３先端部４と、ベリー部７の長さを自在に設定することが可能となるため、結果として、多種多様な多段テーパーを設計することができる。
【産業上の利用可能性】
【００２７】
本発明は、釣竿におけるティップ部と呼ばれる穂先部分の構成に関するものであり、複数の異なるテーパー有し、中空構造のベリー部と接合することで、複数の異なるテーパーを有する多段テーパーを実現し、さらにテーパー変化点における外径や、テーパー変化点間の長さを自在に選択することが可能となり、釣竿における穂先部分の設計自由度を飛躍的に広げると同時に、感度や耐久性を向上させるものである。
【符号の説明】
【００２８】
１    ティップ部
２    最先端部
３    第２先端部
４    第３先端部
５    挿入部
６    軸
７    ベリー部
８    接合部
９    トップガイド
１０    トップガイドを設置するための手段
１１    ガイド
１２スレッド
１３樹脂
１４ガイド
１５スレッド
１６樹脂
ａ先端
ｂテーパー変化点
ｃテーパー変化点
ｄ挿入部の前端（第３先端部の後端）
ｅ軸の前端（挿入部の後端）
ｆ軸の後端
【図１】
0006722003.tif 000002
【図２】
0006722003.tif 000003
【図３】
0006722003.tif 000004
【図４】
0006722003.tif 000005
【図５】
0006722003.tif 000006
【図６】
0006722003.tif 000007
【図７】
0006722003.tif 000008
【図８】
0006722003.tif 000009